(57)【特許請求の範囲】
【請求項１】
強化プラスチックのシェルター本体が略箱型形状の避難用シェルターであって、
１つの面に重しとなるウエイト部が形成され、
前記シェルター本体において前記ウエイト部が形成された面に略対向する側の面に少なくとも２つの出入口が形成され、それぞれの出入口にはハッチが取り付けられ、
一端が前記シェルター本体の出入口の内側面に接続され、他端が前記ハッチの内側面に接続されるヒンジを有し、
前記ハッチは、開閉する方向が互いに反対方向になるよう前記ヒンジによって取り付けられ、
前記ハッチにはシェルターの内外から開閉できる開閉窓が設けられ、前記ハッチの内側面周縁又は出入口の内側面周縁に前記ハッチをロックするロック機構を設けたことを特徴とするシェルター。
【請求項２】
強化プラスチックのシェルター本体が略箱型形状の避難用シェルターであって、
１つの面に重しとなるウエイト部が形成され、
前記シェルター本体において前記ウエイト部が形成された面に略対向する側の面に少なくとも２つの出入口が形成され、それぞれの出入口にはハッチが取り付けられ、
一端が前記シェルター本体の出入口の外側面に接続され、他端が前記ハッチの外側面に接続されるヒンジを有し、
前記ハッチは、開閉する方向が互いに反対方向になるよう前記ヒンジによって取り付けられ、
前記ハッチにはシェルターの内外から開閉できる開閉窓が設けられ、前記ハッチの内側面周縁又は出入口の内側面周縁に前記ハッチをロックするロック機構を設けたことを特徴とするシェルター。
【請求項３】
ハッチの内側に出入口の形状に対応して出入口に噛み込むリング形状の凸部を形成し、当該凸部の外周に第１のパッキンを取り付け、前記出入口の対応する表面外周に第２のパッキンを形成したことを特徴とする請求項１又は２記載のシェルター。
【請求項４】
シェルター本体内につかまり棒を設けたことを特徴とする請求項１乃至３のいずれか記載のシェルター。
【請求項５】
ウエイト部は、ハッチが取り付けられる面とは反対側に突出させる突出部を形成したことを特徴とする請求項１乃至４のいずれか記載のシェルター。
【請求項６】
シェルター本体に、牽引用のフックを取付可能としたことを特徴とする請求項１乃至５のいずれか記載のシェルター。
【請求項７】
シェルター本体に、オール受けを取付可能としたことを特徴とする請求項１乃至６のいずれか記載のシェルター。
【請求項８】
強化プラスチックのシェルター本体が略箱型形状の避難用シェルターであって、
１つの面に重しとなるウエイト部が形成され、
前記シェルター本体において前記ウエイト部が形成された面に略対向する側に少なくとも２つの出入口が形成され、それぞれの出入口にはハッチが取り付けられ、
一端が前記シェルター本体の出入口の内側面に接続され、他端が前記ハッチの内側面に接続されるヒンジを有し、
前記ハッチは、開閉する方向が互いに反対方向になるよう前記ヒンジによって取り付けられ、
前記ハッチには前記シェルターの内外から開閉できる開閉窓が設けられ、前記ハッチの内側面周縁又は出入口の内側面周縁に前記ハッチをロックするロック機構が設けられ、
前記開閉窓は、外側から開閉動作を行うキャップ部と、内側から開閉動作を行うハンドル部と、前記キャップ部に一端が接続し、前記ハンドル部に他端が接続するネジ部とを有し、前記ネジ部の径より前記キャップ部の径を大きくしたことを特徴とするシェルター。
【請求項９】
強化プラスチックのシェルター本体が略箱型形状の避難用シェルターであって、
１つの面に重しとなるウエイト部が形成され、
前記シェルター本体において前記ウエイト部が形成された面に略対向する側に少なくとも２つの出入口が形成され、それぞれの出入口にはハッチが取り付けられ、
一端が前記シェルター本体の出入口の外側面に接続され、他端が前記ハッチの外側面に接続されるヒンジを有し、
前記ハッチは、開閉する方向が互いに反対方向になるよう前記ヒンジによって取り付けられ、
前記ハッチにはシェルターの内外から開閉できる開閉窓が設けられ、前記ハッチの内側面周縁又は出入口の内側面周縁に前記ハッチをロックするロック機構が設けられ、
前記開閉窓は、外側から開閉動作を行うキャップ部と、内側から開閉動作を行うハンドル部と、前記キャップ部に一端が接続し、前記ハンドル部に他端が接続するネジ部とを有し、前記ネジ部の径より前記キャップ部の径を大きくしたことを特徴とするシェルター。
【請求項１０】
避難用シェルターであって、
シェルターの内外から開閉できる開閉窓が設けられ、
前記開閉窓は、外側から開閉動作を行うキャップ部と、内側から開閉動作を行うハンドル部と、前記キャップ部に一端が接続し、前記ハンドル部に他端が接続するネジ部とを有し、前記ネジ部の径より前記キャップ部の径を大きくしたことを特徴とするシェルター。
【発明の詳細な説明】
【技術分野】
【０００１】
本発明は、避難用シェルターに係り、特に、押入れ等に収納設置可能であって、安定性と安全性を備えた複数ハッチ略箱型シェルターに関する。
【背景技術】
【０００２】
［従来の技術］
従来の避難用シェルターには、球型シェルターがある（特許文献１参照）。
球型シェルターは、角がないため、津波等に流された時に、壊れ難く、丈夫であるという利点がある。
【０００３】
［関連技術］
尚、関連する先行技術として、実用新案登録第３１８０９１３号公報「避難用シェルター」（株式会社光レジン工業）［特許文献１］がある。
特許文献１には、球型の避難用シェルターで、円形のハッチを１つ有する構造が示されている。
【先行技術文献】
【特許文献】
【０００４】
【特許文献１】実用新案登録第３１８０９１３号公報
【発明の概要】
【発明が解決しようとする課題】
【０００５】
しかしながら、従来の球型シェルターでは、球形であるがために家屋内に設置するには場所を取ってしまうという問題点があった。
【０００６】
そこで、避難用シェルターを箱型にすることが考えられるが、箱型形状とした場合の安定性と安全性を確保することが課題となる。
【０００７】
本発明は上記実状に鑑みて為されたもので、押入れ等に収納設置可能であって、安定性と安全性を実現できる複数ハッチ略箱型シェルターを提供することを目的とする。
【課題を解決するための手段】
【０００８】
上記従来例の問題点を解決するための本発明は、強化プラスチックのシェルター本体が略箱型形状の避難用シェルターであって、１つの面に重しとなるウエイト部が形成され、シェルター本体においてウエイト部が形成された面に略対向する側の面に少なくとも２つの出入口が形成され、それぞれの出入口にはハッチが取り付けられ、一端がシェルター本体の出入口の内側面に接続され、他端がハッチの内側面に接続されるヒンジを有し、ハッチは、開閉する方向が互いに反対方向になるようヒンジによって取り付けられ、ハッチにはシェルターの内外から開閉できる開閉窓が設けられ、ハッチの内側面周縁又は出入口の内側面周縁にハッチをロックするロック機構を設けたことを特徴とする。
【０００９】
本発明は、強化プラスチックのシェルター本体が略箱型形状の避難用シェルターであって、１つの面に重しとなるウエイト部が形成され、シェルター本体においてウエイト部が形成された面に略対向する側の面に少なくとも２つの出入口が形成され、それぞれの出入口にはハッチが取り付けられ、一端がシェルター本体の出入口の外側面に接続され、他端がハッチの外側面に接続されるヒンジを有し、ハッチは、開閉する方向が互いに反対方向になるようヒンジによって取り付けられ、ハッチにはシェルターの内外から開閉できる開閉窓が設けられ、ハッチの内側面周縁又は出入口の内側面周縁にハッチをロックするロック機構を設けたことを特徴とする。
【００１０】
本発明は、上記シェルターにおいて、ハッチにはシェルターの内外から開閉できる開閉窓が設けられ、ハッチの内側面周縁又は出入口の内側面周縁にハッチをロックするロック機構を設けたことを特徴とする。
【００１２】
本発明は、上記シェルターにおいて、ハッチの内側に出入口の形状に対応して出入口に噛み込むリング形状の凸部を形成し、当該凸部の外周に第１のパッキンを取り付け、前記出入口の対応する表面外周に第２のパッキンを形成した当該凸部の外周にパッキンを取り付けたことを特徴とする。
【００１３】
本発明は、上記シェルターにおいて、シェルター本体内につかまり棒を設けたことを特徴とする。
【００１４】
本発明は、上記シェルターにおいて、ウエイト部が、ハッチが取り付けられる面とは反対側に突出させる突出部を形成したことを特徴とする。
【００１５】
本発明は、上記シェルターにおいて、シェルター本体に、牽引用のフックを取付可能としたことを特徴とする。
【００１６】
本発明は、上記シェルターにおいて、シェルター本体に、オール受けを取付可能としたことを特徴とする。
【発明の効果】
【００１７】
本発明によれば、１つの面に重しとなるウエイト部が形成され、シェルター本体においてウエイト部が形成された面に略対向する側の面に少なくとも２つの出入口が形成され、それぞれの出入口にはハッチが取り付けられ、一端がシェルター本体の出入口の内側面に接続され、他端がハッチの内側面に接続されるヒンジを有し、ハッチは、開閉する方向が互いに反対方向になるようヒンジによって取り付けられ、ハッチにはシェルターの内外から開閉できる開閉窓が設けられ、ハッチの内側面周縁又は出入口の内側面周縁にハッチをロックするロック機構を設けた略箱型形状の避難用シェルターとしているので、押入れ等に収納設置可能であり、水に浮いた時にウエイト部によってハッチのある面が上側になり、上側になった面に形成されたハッチが互いに反対方向に開閉することにより、一方向が破損して開かなくなった場合でも、他方向でハッチを開くことができ、また、水に浮いた状態でも２つハッチを同時に開けば、シェルター本体が一方向に片寄ることがなく、安定した状態を保持できる効果がある。
【００１８】
本発明によれば、１つの面に重しとなるウエイト部が形成され、シェルター本体においてウエイト部が形成された面に略対向する側の面に少なくとも２つの出入口が形成され、それぞれの出入口にはハッチが取り付けられ、一端がシェルター本体の出入口の外側面に接続され、他端がハッチの外側面に接続されるヒンジを有し、ハッチは、開閉する方向が互いに反対方向になるようヒンジによって取り付けられ、ハッチにはシェルターの内外から開閉できる開閉窓が設けられ、ハッチの内側面周縁又は出入口の内側面周縁にハッチをロックするロック機構を設けた略箱型形状の避難用シェルターとしているので、押入れ等に収納設置可能であり、水に浮いた時にウエイト部によってハッチのある面が上側になり、上側になった面に形成されたハッチが互いに反対方向に開閉することにより、一方向が破損して開かなくなった場合でも、他方向でハッチを開くことができ、また、水に浮いた状態でも２つハッチを同時に開けば、シェルター本体が一方向に片寄ることがなく、安定した状態を保持できる効果がある。
【図面の簡単な説明】
【００１９】
【図１】本シェルターの概略図である。
【図２】本シェルターの２つのハッチを閉状態とした場合の正面説明図である。
【図３】本シェルターの２つのハッチを開状態とした場合の正面説明図である。
【図４】本シェルターの側面説明図である。
【図５】海上浮遊時の短面側面説明図である。
【図６】海上浮遊時の上面説明図である。
【図７】海上浮遊時の長面側面説明図である。
【図８】別のシェルターの正面説明図である。
【図９】別のシェルターにおけるハッチの内側を示す概略図である。
【図１０】別のシェルターにおける開閉窓の上面説明図である。
【図１１】別のシェルターにおける開閉窓の取り付け状態を示す断面説明図である。
【発明を実施するための形態】
【００２０】
本発明の実施の形態について図面を参照しながら説明する。
［実施の形態の概要］
本発明の実施の形態に係る複数ハッチ略箱型シェルターは、押入れ等に収納設置可能であり、出入口のハッチを少なくとも２つ備え、ハッチ開閉のヒンジはシェルター本体の内側面とハッチの内側面とを接続し、当該ハッチの中央にシェルター本体の内外から開閉できる開閉窓を設け、当該開閉窓の近くにロック解除機構を備え、２つハッチの開閉方向が反対方向とし、ハッチを備える側に略対向する面にウエイト部を形成したものであり、水に浮いた時にウエイト部によりハッチが上側になり、ハッチが互いに反対方向に開閉することにより、一方向が破損して開かなくなった場合でも、他方向でハッチを開くことができ、また、シェルターが水に浮いている状態で、２つハッチを同時に開けば、シェルター本体が一方向に片寄ることがなく、安定した状態を保持でき、開閉窓を外から開けることで、外側からもロックを解除でき、救助を容易にできるものである。
【００２１】
［本シェルター：図１〜３］
本発明の実施の形態に係る複数ハッチ略箱型シェルター（本シェルター）について図１を参照しながら説明する。図１は、本シェルターの概略図であり、図２は、本シェルターの２つのハッチを閉状態とした場合の正面説明図であり、図３は、本シェルターの２つのハッチを開状態とした場合の正面説明図である。尚、図１において、底辺は後述するように突出させる構造となっている。
本シェルターは、図１〜３に示すように、押入れ等の下部に収納して設置できる形状とサイズであり、シェルター本体１が立方体の箱型形状となっており、正方体を２つ結合したような長方体（直方体又は四角柱）の形状となっており、内部に避難用の空間が形成されている。尚、本シェルターをクローゼットなどの収納スペースに設置してもよい。
【００２２】
［シェルター本体１］
シェルター本体１の正面には、２つハッチ２ａと２ｂが形成され、そのハッチ２ａ，２ｂの中央付近に開閉窓３ａ，３ｂが形成されている。開閉窓３は、ハッチ２の中央でなくても構わないが、強度の点から中央が望ましい。
そして、シェルター本体１とハッチ２は、強化プラスチック（ＦＲＰ［Fiber Reinforced Plastics］樹脂）で形成されている。シェルター本体１とハッチ２の構造については後述する。
本シェルターでは、シェルター本体１が四角柱であるが、五角柱等の多角柱として一面に１つのハッチを形成し、隣接する面に別のハッチを形成する構造であってもよい。
【００２３】
［ハッチ２］
ハッチ２ａ，２ｂは、図３に示すように、ハッチ２ａの開閉方向とハッチ２ｂの開閉方向とは異なっている。具体的には、ハッチ２ａは、図３で上方向に開閉し、ハッチ２ｂは、下方向に開閉する。
このように、ハッチ２の開閉方向を異なる方向（反対方向）としているのは、ハッチ２の開閉機構について一方向からの衝撃によって破損した場合に、２つハッチ２が同時に開閉できなくなる可能性があるが、開閉方向を異なるものとすることで、２つハッチ２が同時に開閉できなくなるリスクを回避でき、安全性を向上させることができる効果がある。
本シェルターでは、出入口を四角形状で、ハッチ２も四角形状としているが、出入口とハッチ２を円形、楕円形、多角形状としてもよい。
【００２４】
また、２つハッチ２が異なる方向に開閉することで、シェルター本体１が水に浮いている状態で、両ハッチ２を同時に開閉すれば、一方に片寄ることがなく、安定性を保つことができる効果がある。
尚、図３では、ハッチ２が上下方向に開閉しているが、左側のハッチ２ａが外側（左側）に開閉し、右側のハッチ２ｂが外側（右側）に開閉する観音開きであってもよい。また、左側のハッチ２ａが内側（右側）に開閉し、右側のハッチ２ｂが内側（左側）に開閉するガルウイング（カモメの翼）開きであってもよい。
このように、観音開き又はガルウイング開きであれば、水に浮いた状態で、１本のオールを左右で使い分けて、図６の横方向に本シェルターをこぎ進めることができる。
【００２５】
また、ハッチ２の内側面周縁にリング状（環状）の凸形状の凸部を形成し、その凸部がシェルター本体１の出入口に挿入されて噛み込む構造になっている。凸部に厚みを持たせれば、ハッチ９の座屈防止の強化部品とすることができる。尚、上記凸部は、出入口の形状に合わせて四角形、円形、楕円形、多角形のリング状とするものである。
更に、凸部の外周にゴムパッキン（第１のゴムパッキン）をはめ込んで形成し、対応する出入口の表面部分にもゴムパッキン（第２のゴムパッキン）を形成して、ハッチ２を閉めたときに両ゴムパッキンが接着して、出入口における水密性を向上させることができる。
本シェルターでは、２つの出入口に２つのハッチ２を設けたが、２つのハッチ２に加えて３番目又は４番目、それ以上のハッチを設けるようにしてもよい。
【００２６】
［開閉窓３］
開閉窓３は、内外から開閉できる開閉リバーシブル覗き窓で、ポリカーボネート又はアクリル等の透明な強化プラスチック等で構成され、円柱状の外周部分に螺旋状の切り込み（回転溝）が形成され、ハッチ２には対応する貫通孔が形成され、その貫通孔には上記切り込みに対応する溝が形成されている。
開閉窓３の円形の上下面には、開閉窓３を回転させるための凹凸形状の操作部が形状されている。
図２、図６では、操作部は凹部の円形で、指を挿入して開閉窓３を回転させて開閉を行う。
そして、開閉窓３は、シェルター本体１の外側から内側に押し回す（内側に引き回す）ことで開くことができ、シェルター本体１の内側から外側に押し回すことで、閉じることができるようになっている。
【００２７】
［ヒンジ４、ロック機構５］
ハッチ２のヒンジ４とロック機構５について図３、図６を参照しながら説明する。
ヒンジ４は、図３、図６に示すように、開閉機構であり、一端がハッチ２の内側面周縁に固定され、他端がシェルター本体１の出入口の内側面周縁に固定され、出入口の内側面周縁の固定部を起点にハッチ２の開閉を行う。
【００２８】
ロック機構５は、ハッチ２の内側にＬ字フック（ハンドルロック）が３つ設けられている。Ｌ字フックは、回転可能にハッチ２の内側に取り付けられており、Ｌ字フックを回転させてロックし、反対に回転させてアンロック（ロック解除）を行う。尚、Ｌ字フックが地震等の振動で動いてロックされることがないよう、手前に引きながら回転させないと動作しない構成とすることも考えられる。
また、ロック機構５をハッチ２の内側ではなく、出入口近傍でシェルター本体１の内側に形成し、Ｌ字フックでハッチ２の端部を押さえてロックするようにしてもよい。
また、ロック機構５として、ストレートのバー形状のものであってもよく、Ｙ字形状のものであってもよい。
【００２９】
［ウエイト部（重し部）６］
シェルター本体１のハッチ２が形成された壁面とは反対側の壁面の外側面にはウエイト部（重し部）６がモルタル等で形状されている。尚、ウエイト部６をモルタルではなく、重しとなる物や人を収納するスペース（重し収納スペース）として、そのスペースに配置される物等を重しにしてもよい。
ウエイト部６は、シェルター本体１が津波等で流されて水に浮いた時に、重さによって下側となって、ハッチ２が上側となるようにするためのものである。
ウエイト部６をモルタルで形成することで、本シェルターを押入れ等に設置した場合に、図２〜４の垂直方向の強度を向上させることができる。
【００３０】
尚、ウエイト部６が形成された外壁の形状は、中央に向かって徐々に突出する尾根の形状となっている。つまり、図２の奥行方向に形成される壁の外側面にウエイト部６が形成され、図２のウエイト部６が形成される外側面の中央横方向に尾根が形成されるよう突出部が形成されている。
【００３１】
このように、突出構成としたのは、水に浮いた時に安定性を高めると共に、救助の船が牽引した時に船底のように推進し易くするためである。
ウエイト部６は、表面をＦＲＰコーティング、若しくはＦＲＰ製のカバーを取り付けるようにしている。
【００３２】
［つかまり棒７：図４］
次に、つかまり棒７について図２〜図４を参照しながら説明する。図４は、本シェルターの側面説明図である。
つかまり棒７は、ハッチ２の出入口に対して、一方の長辺側面の内側と対向する他方の長辺側面の内側を接続するように、垂直方向に並行して２本設けられている。このつかまり棒７は、長辺側面の長手方向に並んで設けてもよいし、少しずらして設けるようにしてもよい。更に、つかまり棒７は１本でもよいし、２本以上設けるようにしてもよい。
また、ハッチ２が形成された面の内側とウエイト部６が形成された面の内側とを接続するつかまり棒を１本又は複数本設けるようにしてもよい。
つかまり棒７は、津波等に本シェルターが流された時に中にいる避難者がつかまるためのステンレス又は鉄等の金属製の棒である。
このつかまり棒７によって、本シェルターの外からの衝撃に対して強度を保つことができる。また、つかまり棒７内にモルタルを充填することで、更に強度を向上させることができる。
【００３３】
［採光窓８］
また、採光窓８ａ，８ｂが、シェルター本体１の短辺側面に設けられている。
採光窓８ａ，８ｂは、明かり窓で、ポリカーボネート等でシェルター本体１に取り付けられている。
採光窓８ａ，８ｂは、本シェルターが水に浮いた時に、水面の上となるよう、出入口側に設けられている。
また、採光窓８ａ，８ｂは、強度が担保されていれば開閉式にし、空気取り入れ口として兼用することができる。
【００３４】
［シェルター本体１及びハッチ２の構造］
シェルター本体１及びハッチ２は、強化プラスチックによって形成されるものであるが、災害等の衝撃に耐えられるように、下記の三層の積層構造とすることが望ましい。尚、シェルター本体１を下記の積層構造とし、ハッチ２は三層の積層構造とは別の構造としてもよい。
また、シェルター本体１及びハッチ２を下記の繊維系強化材の一層で形成してもよいし、下記の繊維系強化材と発泡体又はコア材の二層で形成してもよい。二層構造では、繊維系強化材が外側で、発泡体又はコア材が内側となる。
【００３５】
シェルター本体１又はハッチ２の積層構造（本積層構造）は、発泡体又はコア材を第１の繊維系強化材と第２の繊維系強化材で挟み込んで樹脂で接合して積層したものであり、発泡体として、硬質ウレタン、発泡スチロール、ポリエチレン、又はポリプロピレン等を用い、コア材として、ペーパーハニカム、アルミハニカム等を用い、繊維系強化材として、ガラス繊維、カーボン繊維、アラミド繊維、バサルト繊維又はバイオマス繊維等を用い、樹脂として、不飽和ポリエステル、ビニルエステル、エポキシ、フェノール、ポリイミド、バイオマス等を用い、Ｌ−ＲＴＭ（Light-Resin Transfer Molding）形成法又はインフュージョン形成法で製造されるものとしているので、シンプルな構造でありながら、避難用シェルターに使用できる強度を持った構造とすることができるものである。
【００３６】
本積層構造を具体的に説明する。
本積層構造は、発泡体又はコア材（発泡体等とする）を第１の強化材と第２の強化材で挟み込んで、樹脂によって接合して積層したサンドウィッチ構造（積層構造）としたものである。
【００３７】
第１，２の強化材は、ガラス繊維、カーボン繊維、アラミド繊維、バサルト（玄武岩）繊維又はバイオマス繊維（麻や竹などの天然繊維）等の繊維系の強化材を用いている。特に、バサルト繊維は、玄武岩より溶融紡糸された環境にやさしい高強度の繊維であって、抗張力、耐熱性、耐紫外線性、耐酸・アルカリ性に優れ、アラミド繊維に匹敵する強度を有する。
【００３８】
発泡体等の発泡体は、硬質ウレタン、発泡スチロール、ポリエチレン、又はポリプロピレン等を用いている。
発泡体等のコア材は、ペーパーハニカム、アルミハニカム等を用いている。
樹脂は、不飽和ポリエステル、ビニルエステル、エポキシ、フェノール、ポリイミド、バイオマス等を用いている。
【００３９】
本積層構造は、Ｌ−ＲＴＭ成形方法又はインフュージョン成形方法を用いて製造する。
本積層構造におけるＬ−ＲＴＭ成形方法は、下型に第２の強化材、発泡体等、第１の強化材を敷き詰め、上型を真空圧で型締めして、型内に樹脂を投入して成形するものである。
【００４０】
また、本積層構造におけるインフュージョン成形方法は、型に第２の強化材、発泡体等、第１の強化材を重ねて置き、その上に各種の基材を載せ、最上層にフィルムを被せ、フィルムとの間を真空に吸引した後に、液状の樹脂を樹脂吸引口から吸い込ませ、硬化した後に、各種基材とフィルムを剥がして形成品を取り出すものである。
【００４１】
本積層構造で、Ｌ−ＲＴＭ成形方法又はインフュージョン成形方法を用いるのは、金型を使わずＦＲＰ製の型が製造できるので、設備投資額が低く、プレス機を使用しないため大きさの制限がないなどの利点が得られるからである。
【００４２】
尚、本シェルターでは、図２において、ハッチ２を除いて上側半分と下側半分を別々に製造し、最終的に貼りあわせてシェルター本体１を形成し、別に製造したハッチ２を取り付けるようになっている。
このような製造方法を採用するのは、上側半分も下側半分も同じ形状になるため、設計及び製造を容易にするためであり、ハッチ２も同じ形状のものを用いて取り付けることができる。
上側半分と下側半分の貼り合わせる技術は、例えば、貼り合わせる部分の端辺を内側に折り曲げ、ゴムパッキンを介在させて折り曲げ部分をボルトとナットで固定する。
尚、上側半分と下側半分を同じ形状にせず、一方の開口端部を広めにして、他方の開口端部をはめ込んで両者を固定する構成であってもよい。
【００４３】
［浮遊時の本シェルターの状態：図５〜図７］
本シェルター１の水上（海上）浮遊時の状態について図５〜図７を参照しながら説明する。図５は、海上浮遊時の短面側面説明図であり、図６は、海上浮遊時の上面説明図であり、図７は、海上浮遊時の長面側面説明図である。
本シェルターは、ウエイト部６の重しによって、水上浮遊時にはウエイト部６が下側に向いて、ハッチ２が上側に向くようになっている。
また、採光窓８ａ，８ｂも水面より上側に位置するようになる。
【００４４】
図５，図６では、２つのハッチ２を開状態とした図で、図５の左右、図６の上下に開くようになっているので、２つのハッチ２が一方に偏って開くものではないため、２つのハッチ２が開状態では、本シェルターが安定するものである。
【００４５】
また、ハッチ２がそれぞれ異なる方向に開閉することで、一方向からの衝撃によりハッチ２の開閉機構が破損してハッチ２が開かなくなっても、他方のハッチ２の開閉機構は破損していないことにより、他方のハッチ２は開閉可能となる。
具体的には、図６で、左側のハッチ２ａの開閉機構であるヒンジ４が衝撃により破損して動作しなくなり、開閉しなくなっても、右側のハッチ２ｂのヒンジ４は破損していないので、ハッチ２ｂは開閉できるものである。
【００４６】
［フック９：図７］
次に、フック９について図７を参照しながら説明する。
フック９は、着脱式であり、フック９の設置場所には、フック用の取付部が形成されており、水に浮いた状態でフック９を取り付けられるようになっている。フック及び取付部は、自動車のフックと同様な形状となっており、例えば、取付部がフック９用のネジ溝を有するネジ穴となっており、フック９のネジ溝に対応するネジ山が設けられている。
【００４７】
［オール受け１０：図７］
オール受け１０について図７を参照しながら説明する。
オール受け１０もフック９と同様に着脱式になっており、取付部のネジ溝を有するネジ穴にＹ字又はＵ字形状のオール受け１０のネジ部分を回転挿入してオール受け１０を取り付け、シェルター本体１の内部に収納していたオール又は櫂を用いて舟をこぐように本シェルターを水上で移動させるものである。
【００４８】
また、上述したように、ハッチ２が観音開き又はガルウイング開きである場合に、図７のハッチ２の手前と奥の両脇（２箇所）にオール受けを取り付けられるよう取付部を設けてもよい。
ハッチ２の両脇に取り付けられたオール受けにより、水に浮いた状態で、２本のオールを使ってボートをこぐように移動できる。
【００４９】
［その他］
シェルター本体１内には、１本又は複数本のオール等の他に、複数のヘルメット、複数の布団圧縮袋、防災キット、非常食、飲料水、酸素ボンベ、救急セット等を同梱するとよい。
また、水に浮いた状態で、シェルター本体１の内側底面で人が座る位置にクッションを取り付けてもよい。
また、シェルター本体１の内部の角部に収納箱を形成しておくようにすれば、本シェルターの強度を向上させることができる。
【００５０】
［実施の形態の効果］
本シェルターによれば、押入れ等の下段に設置可能であり、出入口のハッチ２を少なくとも２つ備え、ハッチ２を開閉するヒンジ４はシェルター本体１の内側面とハッチ２の内側面とを接続し、当該ハッチ２の中央にシェルター本体１の内外から開閉できる開閉窓３を設け、当該開閉窓３の近くに解除できるロック機構を備え、２つハッチ２の開閉方向が反対方向とし、ハッチ２を備える側に略対向する面にウエイト部６を形成したものであり、水に浮いた時にウエイト部６によりハッチ２が上側になり、ハッチ２が互いに反対方向に開閉することにより、一方向が破損して開かなくなった場合でも、他方向でハッチ２を開くことができる効果がある。
【００５１】
また、本シェルターによれば、シェルターが水に浮いている状態で、２つハッチ２を同時に開けば、シェルター本体１が一方向に片寄ることがなく、安定した状態を保持できる効果がある。
【００５２】
また、本シェルターによれば、開閉窓３を外から開けることで、外側から開けた開閉窓３に手を入れて近くにあるロック機構５のロックを解除できるので、何らかの事情でシェルター内部の生存者が自力で脱出出来ない場合でも、救助者が外部から容易に救出できる効果がある。
【００５３】
また、本シェルターは、押入れ又はクローゼット等の収納スペースに収納・設置するものであるから、球型のシェルターのように生活空間に設置された場合に比べて、生活空間を占有することがないという効果がある。
【００５４】
［本シェルターの応用例］
本シェルターのサイズを大型化（サイズアップ）し、押入れ等に収納するのではなく、例えば、寝室等に設置し、内部に寝具等を取り込んで、本シェルターをベッド代わりに利用することも可能である。
このように本シェルターをベッド代わりにすることで、就寝中に大きな地震が発生した場合に、家屋・家具の倒壊があっても、内部に就寝している人を保護することができ、シェルターの機能のみで生活空間を占有することがないという効果がある。
【００５５】
［別のシェルター：図８］
次に、本発明の別の実施の形態に係る複数ハッチ略箱型シェルター（別のシェルター）について図８を参照しながら説明する。図８は、別のシェルターの正面説明図である。
別のシェルターは、接合部分に防水テープ１１が貼り付けられ、更に、ハッチ２´（２´ａ，２´ｂ）のヒンジ４´が外側２箇所に取り付けられ、ハッチ２´のロック機構５が４箇所取り付けられている点で、本シェルターと相違している。
また、別のシェルターは、底面の下に板材が設置され、また、上面の上にも板材が設置されている。このように板材を設置するのは、上下双方からの衝撃に対して、本体を破損から守るためである。
【００５６】
［防水テープ１１］
本シェルターで説明したように、シェルター本体１は、図２において上側半分と下側半分を別々に形成して、接合して貼り合せるものとしているので、別のシェルターでは、図８に示すように、その貼り合せ部分に防水テープ１１を貼り付けたものである。
防水テープ１１は、ブチルゴム系粘着剤を塗布したテープであり、図８の正面だけでなく、両側面、背面にも、接合部分を覆うように貼り付けられている。
【００５７】
［板材］
また、図８の上面の上側と底面の下側に、板材を配置するようにしてもよい。尚、図８では、板材を図示していないものとなっている。
シェルター本体１の上下からの一時的な大きな加重に対して、この板材が面で受け止めることになるため、シェルター本体１が破損することを防止できる効果がある。
板材は、図８の上面と底面だけでなく、両側面及び背面にも取り付けるようにしてもよい。
【００５８】
［ヒンジ４´］
また、本シェルターでは、ハッチ２のヒンジ４が内側に取り付けられているが、別のシェルターでは、ハッチ２´の外側に２箇所のヒンジ４´が取り付けられている。つまり、ハッチ２´ａに２箇所のヒンジ４´と、ハッチ２´ｂに２箇所のヒンジ４´が取り付けられている。
図８では、ヒンジ４´が、中央から遠い端部側に設けられているが、一方のハッチ２´で上側（上面側）の２箇所に取り付け、他方のハッチ２´で下側（底面側）の２箇所に取り付けるようにしてもよい。
【００５９】
［ハッチ２´の内側：図９］
次に、別のシェルターにおけるハッチ２´の内側の構造について図９を参照しながら説明する。図９は、別のシェルターにおけるハッチの内側を示す概略図である。
別のシェルターにおけるハッチ２´の内側は、図９に示すように、上下左右４箇所にロック機構５が設けられている。本シェルターにおいてハッチ２の内側の一辺にヒンジ４をとり付けていたため、それ以外の辺にロック機構５を３箇所設けていたが、別のシェルターではヒンジ４´が外側に取り付けられるようになったため、４辺にロック機構５を形成できるようになったものである。
ロック機構５が４辺にそれぞれ形成されることで、外側のヒンジ４´が破損したとしても、内側の４つのロック機構５でロックされるために、ハッチ２´が開いてしまうことはない。
【００６０】
また、ハッチ２´の開閉窓３´の周辺、開閉窓３´を除くハッチ２´の対角線部分、更に４辺の中心部分にリブ１２が形成されている。
シェルター本体１及びハッチ２´が、発泡体又はコア材を第１の繊維系強化材と第２の繊維系強化材で挟み込んで樹脂で接合して積層した積層構造としているので、リブ１２は、積層構造を部分的に複数にするか、発泡体又はコア材を部分的に複数層にするか、繊維系強化材を部分的に複数層にすることで、形成するものである。
【００６１】
［開閉窓３´：図１０，図１１］
次に、別のシェルターの開閉窓３´について図１０及び図１１を参照しながら説明する。図１０は、別のシェルターにおける開閉窓の上面（外側面）説明図であり、図１１は、別のシェルターにおける開閉窓の取り付け状態を示す断面説明図である。
開閉窓３´は、図１０及び図１１に示すように、外側から開閉動作を行うキャップ部３´ａと、円筒形の外周がネジ状になっているネジ部３´ｂと、内側から開閉動作を行うハンドル部３´ｃとで構成されている。
ネジ部３´ｂは、一端がキャップ部３´ａに接続し、他端がハンドル部３´ｃに接続している。
【００６２】
キャップ部３´ａは、ネジ部３´ｂに比べて径が大きく、円周の一部を指が入るように内側に複数個所凹ませた凹部が形成されている。
つまり、本シュエルターでは、開閉窓３は、外側からの操作として、回転させて外側から内側に押し込んで開き、内側からの操作として、回転させて外側から内側に引き込んで開く構成となっていたが、別のシェルターでは、外側からの操作として、回転させて内側から外側に引き出して開き、内側からの操作として、内側から外側に押し出して開く構成となっている。
【００６３】
開閉窓３´の底部（内側面）には、図９に示すように、底面の円を横切る凸形状のハンドル部３´ｃが形成されており、そのハンドル部３´ｃを回転させて、開閉窓３´を外側に押し出す構造となっている。
尚、開閉窓３´を開けたときに、紛失しないように、ハンドル部３´ｃにチェーン又は紐の一端を取り付け、他端をハッチ２´の内側に固定するとよい。
【００６４】
開閉窓３´は、ポリカーボネート等で形成され、ネジ部３´ｂに対応する部分は、塩化ビニール等でハッチ２´のＦＲＰの断面に固定されている。
開閉窓３´は、ハッチ２´の表面から少し凹んだ状態で固定され、外部からの衝撃を直接的に受けないような構造となっている。
【００６５】
また、ネジ部３´ｂの径に対してキャップ部３´ａの径を大きくし、回転させて外側から内側に開閉窓３´を押し込んで固定するようにしたのは、防水効果を高め、水漏れを防止し、外側からの衝撃に強い構造とするためである。
【００６６】
別のシェルターにおいて、本シェルターと相違する部分を説明したが、上記の相違する部分以外については、本シェルターと同様の構成となっている。
従って、別のシェルターは、本シェルターの基本的な構成を備えているため、本シェルターと基本的には同様の効果を奏するものとなっている。
【００６７】
［別のシェルターの効果］
別のシェルターによれば、本シェルターの効果を奏すると共に、防水テープ１１、開閉窓３´等により防水性を向上させ、板材の配置によって外部からの衝撃に対して強度を向上させる効果がある。
【産業上の利用可能性】
【００６８】
本発明は、押入れ等に収納設置可能であって、安定性と安全性を実現できる複数ハッチ略箱型シェルターに好適である。
【符号の説明】
【００６９】
１...シェルター本体、  ２，２´...ハッチ、  ３，３´...開閉窓、  ４，４´...ヒンジ、  ５...ロック機構、  ６...ウエイト部、  ７...つかまり棒、  ８...採光窓、  ９...フック、  １０...オール受け、  １１...防水テープ、  １２...リブ
【図１】
0005913673.tif 000002
【図２】
0005913673.tif 000003
【図３】
0005913673.tif 000004
【図４】
0005913673.tif 000005
【図５】
0005913673.tif 000006
【図６】
0005913673.tif 000007
【図７】
0005913673.tif 000008
【図８】
0005913673.tif 000009
【図９】
0005913673.tif 000010
【図１０】
0005913673.tif 000011
【図１１】
0005913673.tif 000012